(57)【要約】記録担体（４）上に情報を記録する装置が放射源および検知信号（３２）を生成するためのセンサー（３３）、サンプリングされた検知信号に基づいて放射出力を設定するための出力制御ユニット（２９）ならびに前記サンプリングされた検出信号を生成する検知ユニット（３１）を有する。検知信号は、少なくともある選択された最小長さLselをもつことに基づいて選択される期間における、該選択された期間の終わりの部分にあるTsにおいてサンプリングされる。検知信号は、第二の標本値を決定するために、前記選択された制御期間において、Tsとは異なる検出時Tdetにおいてサンプリングされる。第一および第二の標本値の差が決定され、その差に依存してサンプリングされた検知信号の生成が適応される。特に、Lselは、より高い出力の先行する期間の残っている効果を消すために、前記差に依存して適応されうる。
2009540482.tif 000002
【特許請求の範囲】
【請求項１】
マークによって表される情報を記録するためのトラックを有する記録担体を走査する装置であって：
・放射源および光学素子を有し、前記放射源から前記トラック上の走査スポットを経て少なくとも一つの走査信号を検出するための検出器に向かう放射ビームを生成する走査手段と、
・前記ビームからの検知信号を生成するセンサーと、
・サンプリングされた検知信号に依存して放射出力を制御する際にいくつかの異なる出力レベルのうちの一つをそれぞれもつ異なる長さの制御期間のシーケンスで放射出力を設定する出力制御手段と、
・サンプリングされた検知信号を生成する検知手段を有しており、該生成は
・第一の標本値を決定するために少なくともある選択された最小長さLselをもつことに基づいて選択される選択された諸制御期間におけるサンプリング時Tsであって選択された制御期間のLselに始まる部分に位置するTsにおいて前記検知信号をサンプリングし、
・第二の標本値を決定するために前記選択された制御期間において、前記選択された制御期間におけるTsとは異なる検出時Tdに前記検知信号をさらにサンプリングし、
・前記第一および第二の標本値の差を決定し、
・その差に依存してサンプリングされた検知信号の前記生成を適応させることによって行われる、
装置。
【請求項２】
請求項１記載の装置であって、前記検知手段が、前記差に依存してLselを適応させるよう構成されている、請求項１記載の装置。
【請求項３】
請求項２記載の装置であって、前記検知手段が、前記差が所定の閾値未満になるまで、ある個別的な場合では前記差が前記第一または第二の標本値の1%未満になるまで、Lselを増加させるよう構成される、請求項２記載の装置。
【請求項４】
請求項２記載の装置であって、前記記録担体上で、前記トラック中のマークは、チャネル・ビット長Tの整数個分に対応する長さをもち、最短のマークはチャネル・ビット長Tの所定の最小数Lminの長さをもち、
前記検知手段は、LselをLminより大きな値に適応させるよう構成される、
装置。
【請求項５】
請求項１記載の装置であって、前記検知手段が、前記選択された制御期間を選択するのを、読み取り出力レベルまたは消去出力レベルをもつ選択された制御期間を選択するように行うよう構成される、装置。
【請求項６】
請求項１記載の装置であって、前記検知手段が、少なくとも一つの補正パラメータに依存して前記サンプリングされた検知信号を生成する処理手段を有し、前記少なくとも一つの補正パラメータを前記差に依存して決定するよう構成されている、装置。
【請求項７】
前記検知手段が、前記第一および／または第二の標本値を前記検知信号の標本値のシーケンスに基づいて決定する平均手段を有する、請求項１記載の装置。
【請求項８】
マークによって表される情報を記録するためのトラックを有する記録担体を走査する装置においてサンプリングされた検知信号の生成を適応させる方法であって、前記装置は：
・放射源および光学素子を有し、前記放射源から前記トラック上の走査スポットを経て少なくとも一つの走査信号を検出するための検出器に向かう放射ビームを生成する走査手段と、
・前記ビームからの検知信号を生成するセンサーと、
・サンプリングされた検知信号に依存して放射出力を制御する際にいくつかの異なる出力レベルのうちの一つをそれぞれもつ異なる長さの制御期間のシーケンスで放射出力を設定する出力制御手段とを有しており、
当該方法は
・第一の標本値を決定するために少なくともある選択された最小長さLselをもつことに基づいて選択される選択された諸制御期間におけるサンプリング時Tsであって選択された制御期間のLselに始まる部分に位置するTsにおいて前記検知信号をサンプリングし、
・第二の標本値を決定するために前記選択された制御期間において、前記選択された制御期間におけるTsとは異なる検出時Tdに前記検知信号をさらにサンプリングし、
・前記第一および第二の標本値の差を決定し、
・前記差に依存してサンプリングされた検知信号の生成を適応させることを含む、
方法。
【請求項９】
前記差に基づいてLselを適応させることを含む、請求項８記載の方法。
【発明の詳細な説明】
【技術分野】
【０００１】
本発明は、マークによって表される情報を記録するためのトラックを有する記録担体を走査する装置であって、放射源および光学素子を有し前記放射源から前記トラック上の走査スポットを経て少なくとも一つの走査信号を検出するための検出器に向かう放射ビームを生成する走査手段と、前記ビームからの検知信号を生成するセンサーと、サンプリングされた検知信号に依存して放射出力（radiation  power）を制御する際にいくつかの異なる出力レベルのうちの一つをそれぞれもつ異なる長さの制御期間（control  periods）のシーケンスで放射出力を設定する出力制御手段とを有する装置に関する。
【０００２】
本発明はさらに、前記装置においてサンプリングされた検知信号の生成を適応させる方法に関する。
【背景技術】
【０００３】
光記録担体に記録する装置および方法は、US2005/0083828から知られている。高速光ディスク記録装置は、複数パルス放射を生成するレーザー・ダイオードおよび放射の出力を示す検知信号を出力するフォトダイオードを含む。エンコーダが、サンプリングされた検知信号に依存して放射出力を制御する際にいくつかの異なる出力レベルのうちの一つをそれぞれもつ異なる長さの制御期間のシーケンスを生成する。サンプリングされた検知信号を較正するために、前記装置は、書き込み方針（write  strategy）に従った出力制御パターンをレーザー・ダイオード・ドライバに与え、レーザー・ダイオードが二つの出力レベルで固定したデューティー比をもつ複数パルスを出力するようにする。測定された出力が低域通過フィルタで平均化され、サンプリングされ、保持され、前記固定したデューティー比に従って較正される。レーザー・ダイオード・ドライバ出力電圧を制御するために、光パルスの測定された出力の較正され保持された平均出力が所定の諸レベルと比較される。しかしながら、専用の電力制御パターンを適用することは、記録担体上のある面積および較正のために利用可能なスタートアップ時間を必要とする。さらに、検知信号を平均化することに基づく較正は不正確であると思われ、特に、動作条件に依存しうる。
【発明の開示】
【発明が解決しようとする課題】
【０００４】
したがって、さまざまな動作条件において信頼できる仕方でサンプリングされた検知信号を生成する装置および方法を提供することが本発明の一つの目的である。
【課題を解決するための手段】
【０００５】
本発明の第一の側面によれば、前記目的は、冒頭に記載したような情報を記録する装置であって、サンプリングされた検知信号を生成する検知手段を有しており、該生成は第一の標本値を決定するために少なくともある選択された最小長さ（selected  minimum  length）Lselをもつことに基づいて選択される選択された諸制御期間におけるサンプリング時（sampling  time）Tsであって選択された制御期間のLselに始まる部分に位置するTsにおいて前記検知信号をサンプリングし、第二の標本値を決定するために前記選択された制御期間において、前記選択された制御期間におけるTsとは異なる検出時（detection  time）Tdに前記検知信号をさらにサンプリングし、前記第一および第二の標本値の差を決定し、その差に依存してサンプリングされた検知信号の生成を適応させることによって行われる、装置を用いて達成される。
【０００６】
本発明の第二の側面によれば、前記目的は、冒頭に記載したような検知信号を生成する方法であって、第一の標本値を決定するために少なくともある選択された最小長さ（selected  minimum  length）Lselをもつことに基づいて選択される選択された諸制御期間におけるサンプリング時（sampling  time）Tsであって選択された制御期間のLselに始まる部分に位置するTsにおいて前記検知信号をサンプリングし、第二の標本値を決定するために前記選択された制御期間において、前記選択された制御期間におけるTsとは異なる検出時（detection  time）Tdに前記検知信号をさらにサンプリングし、前記第一および第二の標本値の差を決定し、その差に依存してサンプリングされた検知信号の生成を適応させることを含む、方法を用いて達成される。
【０００７】
前記の施策の効果は、前記第一および第二の標本値が、レーザー・ダイオードについては通例複数パルス駆動信号である放射源を制御するシーケンス中の選択された諸制御期間においてサンプリングされるということである。サンプリングするための制御期間は、少なくとも前記最小長さLselをもつよう選択される。選択された制御期間においてLsel以降のところでサンプリングすることにより、検知信号は、信頼できる仕方でサンプリングされるために十分安定化したものになる。選択された制御期間内の異なる時点で取られた二つの標本値の差を決定することにより、直前の制御期間における異なる、たとえばずっと高い出力レベルを適用することからくる過渡的な効果が、標本値が採られる前に十分減衰したかどうかを検出できる。有利なことに、そのようなサンプリングされた検知信号は、放射ビームの出力を精確に表しており、いかなる時点においても、たとえば動作的にデータを記録している間にも、生成されうる。
【０００８】
本発明はまた、以下の認識にも基づいている。さまざまな光記録システムにおける書き込み速度が増すにつれ、書き込み方針におけるさまざまな出力レベルについての時間期間は短くなる。伝統的には、複数パルス書き込み方針（multi-pulse  write  strategies）については、比較的低速であっても、消去レベルのみがサンプリングされることができるが、青色レーザーを使う、複数パルス方針をも使う高速記録は消去レベルが短いので、サンプリングが非常に難しいおよび／または非常に高価になる。
【０００９】
本発明者は、より長い制御期間を選択するとき、そのような選択された期間の比較的安定した終わりの部分において標本値を取れることを見て取った。しかしながら、あらゆる可能な擾乱源を考慮に入れる現代のシステムでは、最長のマークのみが選択されうる。これは、サンプリングされる値の量を、よってサンプリングされた検知信号の信頼性を非常に制限することになり、専用の較正手順を要求することさえありうる。第一および第二の標本値の差を検出し、サンプリングされた検知信号の生成を動的に適応することにより、残っている不安定性および過渡的効果を、動作的な使用の間の十分な数のサンプルに基づいて、考慮に入れることができる。
【００１０】
本装置のある実施形態では、前記検知手段は、前記差に依存してLselを適応させるよう構成される。Lselを適応させることにより、選択された制御期間の選択が、検知信号を信頼できる仕方でサンプリングするために十分な長さおよび安定性をもつ期間のみを選択するよう適応される。その間、安定性は前記差によってモニタリングされる。これは、前記選択が、前記差に影響する動作条件に適合されるという利点をもつ。
【００１１】
本装置のある実施形態では、前記検知手段は、前記差が所定の閾値未満になるまで、ある個別的な場合では前記差が前記第一または第二の標本値の1%未満になるまで、Lselを増加させるよう構成される。
【００１２】
前記第一および第二の標本値の差は、検出された出力レベルを表す検知信号の安定性を示す。Tselを増しながら前記閾値を適用することは、安定性要件を満たすいかなる期間中にもサンプリングを許容しつつ、安定性が所定のレベルになるよう制御されるという利点をもつ。
【００１３】
ある実施形態では、前記記録担体上で、前記トラック中のマークは、チャネル・ビット長Tの整数個分に対応する長さをもつ。最短のマークはチャネル・ビット長Tの所定の最小数Lminの長さをもち、前記検知手段は、LselをLminより大きな値に適応させるよう構成される。特に、読み取り出力レベルまたは消去出力レベルをもつ選択された制御期間を選択することによって、生成されるマークが選択される。これは、書き込まれるべきマークをモニタリングすることによって、比較的大きな長さをもつ制御期間が簡単に選択されるという利点をもつ。
【００１４】
本装置のある実施形態では、前記検知手段は、少なくとも一つの補正パラメータに依存してサンプリングされた検知信号を生成する処理手段を有し、前記少なくとも一つの補正パラメータを前記差に依存して決定するよう構成されている。選択された制御期間における二つ以上のサンプル時において検知信号をサンプリングすることによって、検知信号が変動する仕方が検出できる。有利には、サンプリングされる検知信号を精確に生成するために標本値を処理するために適用するために、一つまたは複数の補正パラメータをもつ前記センサーの伝達関数のモデルが使用されうる。
【００１５】
本発明に基づく本装置および方法のさらなる好ましい実施形態は、付属の請求項によって与えられ、その開示はここに参照によって組み込まれる。
【００１６】
本発明のこれらおよびその他の側面は、以下の記述において例として記載される実施形態を参照し、付属の図面を参照することから明白であり、さらに明快にされるであろう。
【００１７】
図面において、すでに記載された要素に対応する要素は同じ参照符号をもつ。
【発明を実施するための最良の形態】
【００１８】
図１は、走査装置における光記録プロセスを示している。走査装置はターンテーブル１およびディスク状記録担体４を軸３のまわりに矢印５で示される方向に回転させる駆動モータ２および光学式書き込みヘッド６を有する。
【００１９】
記録担体４は、十分高い強度の放射への露出に際して、たとえば反射率の変化などの光学的に検出可能な変化を受け、トラック１１内に情報を表すマーク８を形成する放射感応記録層を有する。トラック１１は、該トラックと向かい合う光学式ヘッドを位置決めするサーボ・トラック信号を生成するサーボ・パターンによって指示され（indicated）てもよい。サーボ・パターンはたとえば、通例プレグルーブ（pre-groove）と呼ばれる浅い蛇行した溝および／または通例プレピット（pre-pit）もしくはサーボ・ピット（servo  pit）と呼ばれる凹部のパターンであってもよい。
【００２０】
光学式書き込みヘッド６は、回転する記録担体に対向して配置される。光学式書き込みヘッド６は放射源、たとえば書き込みビーム１３を生成するための固体レーザーを有する。書き込みビーム１３の強度Iは、通常の仕方で制御信号Vsに合わせて変調されることができる。書き込みビーム１３の強度Iは、放射感応記録担体の光学的属性の検出可能な変化をもたらすのに十分な書き込み強度Iwとスペースを生じるための強度Inとの間で変化する。
【００２１】
マークは、光学的に読み取り可能ないかなる形であってもよく、たとえば、色素、合金または相変化材料といった材料中に記録するときに得られる、周囲とは異なる反射係数をもつ領域の形であってもよく、あるいは光磁気材料中に記録するときに得られる、周囲とは異なる偏光方向をもつ領域の形であってもよい。
【００２２】
走査の間、記録担体から反射されるビームはスキャンされる情報パターンに合わせて変調される。読み取りビームのこの変調は、ビーム変調を示す読み取り信号を生成する放射感応検出器によって通常の仕方で検出できる。
【００２３】
ユーザー・データは、記録担体上に、チャネル・ビットと呼ばれる単位で離散的な長さをもつマークによって、たとえばCDまたはDVDのチャネル符号化方式に従って記録されることができる。マークは整数個のチャネル・ビット長Tに対応する長さをもつ。使われる最短のマークは、トラック上の走査スポットを介して検出可能であるための所定の最小数d個のチャネル・ビット長Tの長さをもつ。走査スポットは、通例最短マークの長さにほぼ等しい有効直径をもつ。
【００２４】
図２は、検知信号生成をもつ記録装置を示している。本装置は記録担体１１上のトラックを走査する手段を設けられ、該手段は、記録担体１１を回転させるための駆動ユニット２１、ヘッド２２、トラック上にヘッド２２を位置決めするためのサーボ・ユニット２５および制御ユニット２０を含む。ヘッド２２は、記録担体の情報層のトラック上に放射スポット２３に焦点を合わされた光学要素を通じて案内される放射ビーム２４を生成するための既知の型の光学系を有する。放射ビーム２４は放射源、たとえばレーザー・ダイオードによって生成される。光学式ヘッド２２は、放射ビームからの検知信号３２を検出するための、通例、前方検知ダイオード（forward  sense  diode）またはモニタ・ダイオード（monitor  diode）と呼ばれるセンサー３３を有する。前記ヘッドはさらに、放射ビーム２４の焦点を前記ビームの光学軸に沿って動かすための焦点アクチュエータ（図示せず）と、トラックの中心上でスポット２３の半径方向の微細位置決めをするためのトラッキング・アクチュエータ（図示せず）を有する。焦点アクチュエータおよびトラッキング・アクチュエータは、サーボ・ユニット２５からのアクチュエータ信号によって駆動される。
【００２５】
読み取りのためには、データ層によって反射された放射が、ヘッド２２内の通常の型の検出器、たとえば四象限ダイオード（four-quadrant  diode）によって検出され、情報を取り出すために復調器、フォーマット解除器（deformatter）および出力ユニットを含む通常の型の読み取り処理ユニット３０によって処理されるための検出器信号を生成する。
【００２６】
書き込みのためには、本装置は、書き込み可能型の記録担体、たとえばCD-RまたはCD-RWまたはDVD+RWまたはBDの上に情報を記録するための記録手段を設けられる。前記記録手段は、書き込み放射ビームを生成するヘッド２２と協力し、入力情報を処理してヘッド２２を駆動する書き込み信号を生成するための書き込み処理手段を有する。この書き込み処理手段は入力ユニット２７、フォーマット器２８および出力制御ユニット２９を有する。出力制御ユニット２９は、記録層中に光学的に検出可能なマークを作り出すためのヘッド２２内の放射源、通例はレーザーの出力を制御する。
【００２７】
制御ユニット２０は情報の走査および取得を制御し、ユーザーからまたはホスト・コンピュータからコマンドを受領するよう構成されてもよい。制御ユニット２０は制御線２６、たとえばシステム・バスを介して本装置中の他のユニットに接続される。制御ユニット２０は、後述する手順および機能を実行するための制御回路、たとえばマイクロプロセッサ、プログラム・メモリおよびインターフェースを有する。制御ユニット２０はまた、論理回路における状態機械として実装されてもよい。後述する焦点調節機能は制御ユニット２０におけるソフトウェア機能として実装されてもよいことを注意しておく。
【００２８】
入力ユニット２７は、アナログ・オーディオおよび／またはビデオまたはデジタルの圧縮されていないオーディオ／ビデオのような入力信号のための圧縮手段を有していてもよい。好適な圧縮手段は、MPEG規格においてビデオについて記載される。MPEG-1はISO/IEC11172において定義されており、MPEG-2はISO/IEC13818において定義されている。あるいはまた、入力信号はすでにそのような規格に従ってエンコードされていてもよい。
【００２９】
ある実施形態では、本記録装置は、記憶システムだけのもの、たとえばコンピュータにおいて使用するための光ディスク・ドライブである。制御ユニット２０は、ホスト・コンピュータ・システム内の処理ユニットと標準化されたインターフェースを介して通信するよう構成される。デジタル・データはフォーマット器２８および読み取り処理ユニット３０に直接インターフェースされる。
【００３０】
ある実施形態では、本装置は、スタンドアローン・ユニット、たとえば消費者使用のためのビデオ記録装置として構成される。制御ユニット２０または本装置に含まれる追加的なホスト制御ユニットが、たとえばファイル管理システムの機能を実行するために、ユーザーによって直接制御されるよう構成される。
【００３１】
出力制御ユニット２９は放射源を出力制御信号によって駆動する。レーザーは、チャネル・レートそのものよりも高い周波数成分を含むパルス・シーケンスを使って駆動される。これは、複数レベル・パルスの形をもち、その目的は、フォーマット器２８内のエンコーダからのエンコードされたデータに一致するように光媒体の所与の長さの「マーク」または「スペース」を達成することである。エンコードされたデータのより高い時間解像度および複数レベルをもつパルス列への変換は、書き込み方針（Write  Strategy）として知られている。それに向け、出力制御ユニット２９は、書き込み方針に従って、いくつかの異なる出力レベルのうちの一つをそれぞれもつ異なる長さの制御期間のシーケンスを生成する。通例、書き込み方針は、記録担体の型および記録速度に適応される。放射出力を所望される出力レベルのそれぞれになるよう制御するために、出力制御ユニット２９は、検知信号３２に基づくサンプリングされた検知信号３４を受領する。
【００３２】
図３は、記録されたデータ・マークと関連付けられた出力制御信号との間の関係を示している。出力制御信号５０は、既存のデータに直接上書きする複数パルス書き込み方針に従っている。縦軸には、データ層の記録材料が溶ける（melt）放射出力に対応する温度Tmeltと、データ層の記録材料が結晶化する（crystallize）放射出力に対応する温度Tcrystとが示されている。上のトラック５３は、消去出力レベル５２によって消去されるべきいくつかの古いデータ・マークを示している。一方、下のトラック５４は、書き込み出力レベルでのパルス化された部分５１に対応する書き込み後の、新しいマークを示している。
【００３３】
図４は、高速記録のための書き込み方針の例を示している。他の媒体および書き込み速度については他の書き込み方針が知られていることを注意しておく。第一の曲線は、24倍速の公称速度でのCD-RWまたは8倍速の公称速度でのDVD+RWのような書き換え可能型の記録担体のための第一の出力制御信号６１を示している。縦の点線はチャネル・ビット・タイミングを示す。消去出力レベルE、書き込み出力レベルWおよび低出力レベルB、たとえば読み取り出力レベルのすべてが使われる。その間、レベルはチャネル・ビットの速度の２倍で変化しうる。これは通例2T書き込み方針（2T  write  strategy）と呼ばれる。第一の出力制御信号６１は、７チャネル・ビット（I7）の長さのマークを書き込むためのパルス化されたシーケンスを示す。
【００３４】
第二の曲線は、同じ書き換え可能型の記録担体についての第二の出力制御信号６２を示しており、８チャネル・ビット（I8）の長さのマークを書き込むためのパルス化されたシーケンスを示している。
【００３５】
第三の曲線は、2.4倍速の公称速度でのDVD+Rのようなライトワンス型の記録担体についての第三の出力制御信号６３を示している。出力レベルは一層高い時間解像度で変化する。第四の曲線は、16倍速までの公称速度のDVD-RまたはDVD+Rのようなさらなるライトワンス型記録担体についての第四の出力制御信号６４を示している。さらなる出力レベルC、W3およびW4が使われていることを注意しておく。
【００３６】
図３および図４に示される出力制御信号についてのさまざまな書き込み方針を実行するためには、放射源の実際の出力を精確に示す検知信号が必要とされる。それに向けて、本装置はさらに、放射ビームの出力を示すサンプリングされた検知信号３４を生成するための検知ユニット３１を有する。検知信号３２は検知ユニット３１に入力される。サンプリングされた検知信号３４は、放射源を所望される出力レベルになるよう制御するための出力制御ユニット２９に接続されている。制御ユニット２０は、サンプリングされた検知信号生成機能を実行するために、検知ユニット３１および他のユニットと通信してもよい。これについてはのちに詳細に論じる。
【００３７】
検知ユニット３１は、次のようにしてサンプリングされた検知信号を生成する。検知信号は、少なくともある選択された最小長さLselをもつことに基づいて選択される選択された諸制御期間におけるサンプリング時Tsにおいてサンプリングされる。サンプリング時Tsは選択された制御期間のLselに始まる部分に位置する。これにより第一の標本値が決定される。さらに、検知信号は、前記選択された制御期間において、前記選択された制御期間におけるTsとは異なる検出時Tdにおいて、第二の標本値を決定するためにサンプリングされる。好ましくは、第一および第二の標本値は同じ選択された制御期間から採られる。その後、第一および第二の標本値の差が決定される。第一および第二の標本値は所定の時間差をもつので、標本値の差は、信号の安定度を示す。ある選択された期間において、放射出力が単一の所望される出力レベルで安定していることが想定されることを注意しておく。したがって、理想的には、検知信号も安定であるべきである。しかしながら、のちに詳しく論じるように、ノイズのため、特に既知の擾乱源のため、検知信号は、シーケンス中の比較的長い制御期間の終わりにしか十分安定にはならない。最後に、検知ユニットはサンプリングされた検知信号を検出された差に依存して適応させる。
【００３８】
図５は、サンプリングされた検知信号の生成を示している。検知ユニット３１は検知信号３２をセンサーから、（可変）入力増幅器を介して（もしあれば）、受領する。サンプル・ユニット７１において、標本値は、タイミング・ユニット７０の制御のもとで採られる。標本値はデジタル標本値に変換され、そのデジタル標本値が差を決定するために差分ユニット７４に結合されてもよい。処理ユニット７５は前記差および標本値を受領し、サンプリングされた検知信号を生成する。検知ユニットは、選択された期間内に異なる時点において第二の標本値を採るために、第二のサンプル・ユニット７２を有していてもよい。あるいは第二の標本は第一のサンプル・ユニット７１によって採取されてもよい。タイミング・ユニットは、少なくとも最小長さLselの選択された期間において、そのような選択された期間の終わりの部分において第一および第二の標本のためのサンプル時点を選択するよう構成される。それに向け、タイミング・ユニットは、同じ出力レベルをもつ期間の長さを示す制御データ７８を出力制御ユニット２９から受領してもよく、制御線２６を介して制御ユニット２０にさらに通信してもよい。
【００３９】
本装置のある実施形態では、検知ユニット３１は、差分ユニット７４によって検出される差に依存して最小長さLselを適応させるよう構成される。たとえば、Lselは、本装置内に実際に存在する記録担体の型に依存してある値に設定されてもよい。その後、差が検出され、Lselについての値は、その差が小さいままとなる限りより低い値に適応されうる。また、検知ユニット３１は、その差が所定の閾値を下回るまでLselを上げるよう構成されてもよい。ある実際的な例では、Lselは前記差が第一または第二の標本値の1%より小さくなるまで上げられてもよい。
【００４０】
通例、記録担体上で、トラック内のマークはチャネル・ビット長Tの整数個分に対応する長さをもつ。一方、最短マークはチャネル・ビット長Tの所定の最小数の長さLminをもつ。CDおよびDVDについてのLminは３チャネル・ビットである。一方、マークの最大長Lmaxは通例11ないし14である。検知ユニット３１は、LselをLminよりかなり大きいがLmaxより小さなある値、たとえば8から10までの間の値に適応するよう構成されてもよい。
【００４１】
図３および図４の書き込み方針から見て取れるように、同じ出力レベルをもつより長い期間は読み取りまたは消去出力で出現する。それに向け、検知ユニット３１は、読み取り出力レベルまたは消去出力レベルをもつ選択された制御期間を選択するよう構成されてもよい。検知ユニットは異なる出力レベルにおいて、たとえば消去出力および書き込み出力の両方において、サンプリングされた検知信号を生成するよう構成されてもよい。これは、そのような書き込み出力がシーケンス中の十分長い制御機関において利用可能であればである。異なる出力レベルでのサンプリングは各レベルについての異なる最小選択長さを要求しうる。というのも、緩慢テールの効果は、当該レベルおよび先行する出力レベルとの差に依存するからである。
【００４２】
検知ユニットは、前記検知信号の標本値のシーケンスに基づいて第一および／または第二の標本値を決定するための、平均化ユニット７６およびさらなる平均化ユニット７７を有していてもよい。そのような平均化ユニットはそれ自身としてはよく知られており、例としては多数の標本値の積分または総和を含む。そのような平均化ユニットによって、入力では実際上5ビットまたは6ビットでありうるデジタル標本値の有効解像度が10または12ビットに上げられることができる。
【００４３】
実際の出力制御は、放射出力フィードバック信号として、ユニット７６または７７における平均化されたサンプリング信号に基づく、要求されるサンプリング開始遅延をもって、サンプリングされたレベルを使って実行されてもよい。さらに、ユニット７４からの差信号またはユニット７５からの処理された差信号が、光出力フィードバック信号または出力設定点信号／値を補正し、そうすることにおいてレーザー出力制御ループにおいて残っている「緩慢テール」の影響をなくすか減らすかするために使われることができる。
【００４４】
検知ユニット３１は次の目的をもつ。高速の複数パルスの書き込み方針は消去レベルが短く、そのため直接サンプリングは非常に難しいおよび／または非常に高価となる。これは、前方検知（FS:  forward  sense）信号が落ち着くまでの増幅器にとって利用可能な時間が短くなり、そのため、レーザー波長がCDからDVD、さらにはBDへと短くなると、特別なFS設計および／または非常に高速な増幅器がより高い利得と組み合わせて必要とされるからである。また、検知ダイオードは本来的に遅いことがありうる。検知ダイオードの速度は放射の波長および放射が半導体層に侵入する深さに依存しうる。たとえば、より低い波長の赤または赤外放射はより深く浸透し、FSダイオードの欠乏層に到達しうる。これは応答速度を低下させる。先行期間におけるより高い検知レベルに続く、新しい検知レベルに落ち着く効果は、FSの「緩慢テール（slow  tail）」と呼ばれる。特に高い書き込みレベルに続く低レベル（たとえば、ライトワンス記録における読み取り出力レベル）については、緩慢テールは、検出されるべき検知レベルに関して比較的強いことを注意しておく。
【００４５】
検知ユニット３１のある実施形態では、処理ユニット７５は、少なくとも一つの補正パラメータに依存してサンプリングされた検知信号を生成するよう構成される。検知ユニット３１は、前記少なくとも一つの補正パラメータを前記差に依存して決定するよう構成される。補正パラメータは、先行期間における（より高い）出力レベルに起因して検知信号に存在する減衰効果（緩慢テール）の傾きであってもよい。傾きは、時間的に異なる時点において取られた二つの標本から計算されてもよい。いくつかの補正パラメータをもつより複雑なモデルが実装されてもよく、一方、モデルからの結果として得られる曲線が二つ以上の標本値に基づいてあてはめられてもよい。検知プロセスのモデルについてのさらなる例は、たとえば、導入部で言及したUS2005/0083828において記載されている。
【００４６】
図６は、検知信号における緩慢テールおよび選択的サンプリングを示している。グラフは、前方検知ダイオードからの検知信号８０を示している。レーザー光の生成を開始するためにレーザーによって必要とされる閾値電流８３を加えるとき、この信号はレーザーを駆動する出力制御信号８６に対応する。出力制御信号のパルス・シーケンスは書き込み出力レベルW1およびW2ならびに読み取り出力レベルRを含む。検知信号のサンプリングは、読み取りレベルの比較的長い期間において生起するものである。信号８４は、放射によって生成されるべき対応するマークを示す。マークは、サンプリングがブロックされる間の初期部分をもつ（点線によってチャネル・ビットを示す）。最小選択長さLsel８７よりも短いマークは、サンプリングから排除される。現在のマークはLselを超えており、出力制御信号において読み取りレベルの期間の終わりの部分８５において、サンプリングのために選択される。第一の標本区間（sample  interval）８８ははLselに始まり、一方、第二の標本区間８９はLsel＋1に始まる。
【００４７】
この発明において、FSサンプリングのために最小選択長さLselをどのようにして設定するかの問題が対処される。サンプリングされた検知信号の生成を動的に調整する現行のシステムは、個々のドライブの挙動を考慮に入れない（たとえばFS経路利得広がり）。較正手順においては、N＝0,1,2,…について、Nチャネル期間ランレングス拒否でのサンプリングとN+1チャネル期間ランレングス拒否でのサンプリングとの間のサンプリングされたFS出力の差が、図６で下部のトレース８８、８９に示されるように、前記差が所与の許容差（たとえば測定された値の1%）より小さいと見られるまで測定される。次いでNのこの値が最小選択長Lselとして選ばれる。この較正は、Lselの値をメモリに設定するために、工場で一度なされればよい。較正はまた、現場（field）で、たとえば新しい記録担体を本装置内に挿入するときに実行されてもよい。
【００４８】
最小選択長Lselを初期設定した後の動作的な使用の間は、精確な出力制御を維持するために必要とされるのは、N−1（またはN＋1）とNの比較だけである。たとえば、N−1またはN＋1の値は、第二の（並行した）サンプル・チャネル上でチェックとして維持されることができる。
【００４９】
さらに、選択された期間において既知の距離にある第一および第二の標本値の差は、FSに対する出力スケーリング効果を計算するために使われることができる。それに向けて、所与の開始出力についての既知の差といったさらなるパラメータが決定され、検知チャネルのモデルにおいて考慮に入れられることになる。緩慢テールのモデル、直前の期間における既知の出力および現在期間における標本値に基づく計算は、残っている緩慢テール寄与を差し引くことによって標本検知信号の補正を許容する。モデルは、放射源または波長に、あるいは実際に走査される記録担体もしくは記録層の型にも依存してもよい。これらは検知チャネルの動作に影響しうるものである。ディスク型は記録担体、たとえば事前記録領域（prerecorded  area）から、あるいは変調された蛇行したプレグループから取得されるディスク情報から検出されてもよい。
【００５０】
本明細書において、「有する」の語は挙げられている以外の他の要素やステップの存在を排除しないこと、要素の単数形の表現はそのような要素の複数の存在を排除しないこと、いかなる参照符号も特許請求の範囲を限定しないこと、いくつかの「手段」または「ユニット」がハードウェアまたはソフトウェアの同一の項目によって代表されてもよいことを注意しておく。さらに、本発明は実施形態に限定されず、上記の新規な特徴または特徴の組み合わせのあらゆる個々のものに存するものである。
【図面の簡単な説明】
【００５１】
【図１】走査装置における光記録プロセスを示す図である。
【図２】検知信号生成をもつ記録装置を示す図である。
【図３】記録されたデータ・マークと関連する出力制御信号との間の関係を示す図である。
【図４】高速記録のための書き込み方針の例を示す図である。
【図５】サンプリングされた検知信号の生成を示す図である。
【図６】検知信号中の緩慢テールおよび選択的サンプリングを示す図である。
【図１】
2009540482.tif 000003
【図２】
2009540482.tif 000004
【図３】
2009540482.tif 000005
【図４】
2009540482.tif 000006
【図５】
2009540482.tif 000007
【図６】
2009540482.tif 000008
【国際調査報告】
2009540482.tif 000009
2009540482.tif 000010